(57)【要約】【課題】従来の容器では、開封前に内容物がガスバリヤ性の低いスパウト部に侵入し残留した状態でキャップを施しているため、スパウト部から水蒸気が外方に透過して内容物を固化させたり、空気中の酸素等が前記スパウト部から内側に透過しスパウト部内の内容物を変質させたりする課題があった。【解決手段】容器本体１０を押す若しくは吸引して容器の内容物を吐出するように設けたスパウト部２０の開口部に装着するキャップ３０に、下方に突出して前記スパウト部のバリヤ区間２１ａに嵌合し該バリヤ区間への内容物の侵入を阻止する円柱状のボスピン部３１を設けてなるバリヤキャップ装置。【選択図】　　　　　　　図１
2004090964.tif 000002
【特許請求の範囲】
【請求項１】
容器本体を押す若しくは吸引して容器の内容物を吐出するように設けたスパウト部の開口部に装着するキャップに、該キャップの天板部から下方に突出して前記スパウト部のバリヤ区間に嵌合し該バリヤ区間への内容物の侵入を阻止する円柱状のボスピン部を設けてなるバリヤキャップ装置。
【請求項２】
請求項１に記載のバリヤキャップ装置において、前記スパウト部に前記ボスピン部を嵌着した状態で前記スパウト部の下端面部と前記ボスピン部の底面部が略同じ高さになるように設けたバリヤキャップ装置。
【請求項３】
請求項１又は２に記載のバリヤキャップ装置において、前記スパウト部に前記ボスピン部を嵌着した状態で前記スパウト部の下端面部と前記ボスピン部の底面部にフィルムを接着又は溶着して前記容器本体を密封するようになしたバリヤキャップ装置。
【請求項４】
請求項３に記載のバリヤキャップ装置において、前記キャップの開封に伴ってボスピン部により前記フィルムを破断又は剥離可能に設けたバリヤキャップ装置。
【請求項５】
請求項１乃至４のいずれかに記載の押込みキャップ装置において、前記スパウト部に前記ボスピン部を嵌着した状態で前記スパウト部の下端面部と前記ボスピン部の底面部に、中心部が開口したフィルムを接着又は溶着して前記容器本体を密封するようになしたバリヤキャップ装置。
【請求項６】
請求項１乃至５のいずれかに記載のバリヤキャップ装置において、前記ボスピン部の下端部に前記バリヤ区間の内周壁部に残留した内容物を前記容器本体内方向に押し戻すためのピストン部を設けてなるバリヤキャップ装置。
【請求項７】
請求項１乃至６のいずれかに記載のバリヤキャップ装置において、前記スパウト部の上端にラッパ形状の開口部を設けてなるバリヤキャップ装置。
【請求項８】
請求項１乃至７のいずれかに記載のバリヤキャップ装置において、前記キャップにキャップの開封に伴って一部破断するようになした開封確認リングを設けてなるバリヤキャップ装置。
【請求項９】
請求項１乃至８のいずれかに記載のバリヤキャップ装置において、前記キャップと前記スパウト部をネジ式に着脱するようになしたバリヤキャップ装置。
【発明の詳細な説明】
【０００１】
【発明の属する技術分野】
本発明は、容器の内容物の保存性を向上させるバリヤキャップ装置に関する。
【０００２】
【従来の技術】
従来、ガスバリヤ性の高い容器本体の開口部に、ガスバリヤ性の低い合成樹脂から成形されたスパウト部を一体に設け、該スパウト部にキャップを螺着してなるキャップ装置は知られている。
この場合、使用時には前記キャップを取り外して容器本体を押すか、スパウト部を吸引して、内容物を前記スパウト部の開口部から吐出させ、使用後には、前記スパウト部にキャップを嵌合し、残留した内容物を保存している。
【０００３】
【発明が解決しようとする課題】
上記のような従来の容器では、開封前に内容物がガスバリヤ性の低いスパウト部に侵入し残留した状態でキャップを施しているため、スパウト部から水蒸気が外方に透過して内容物を固化させたり、空気中の酸素等が前記スパウト部から内側に透過しスパウト部内の内容物を酸化させたり、変質させたりする恐れがあり、長期間内容物を保存することに課題があった。また、前記スパウト部に侵入し残留した内容物が固化する場合には、内容物を円滑に吐出することができない課題があった。
また、開封後においてもスパウト部に内容物が残留する場合には、開封前と同様に内容物を長期間保存することに課題があり、ある程度の時間が経過すると円滑に内容物を吐出することができなくなる課題があった。
【０００４】
【課題を解決するための手段】
そこで、本発明は、請求項１に記載のように、容器本体を押す若しくは吸引して容器の内容物を吐出するように設けたスパウト部に装着するキャップに、該キャップの天板部から下方に突出して前記スパウト部のバリヤ区間に嵌合し該バリヤ区間への内容物の侵入を阻止する円柱状のボスピン部を設けてなるバリヤキャップ装置を提供するものである。
本発明によれば、キャップを装着したとき、ボスピン部が嵌合することにより、前記容器の内容物が前記スパウト部の前記バリヤ区間に侵入することがないから、使用前及び使用中において、スパウト部にガスバリヤ性がなくても内容物が固化したり変質することが生じ難くなる。
【０００５】
また、本発明に係るバリヤキャップ装置によれば、請求項２に記載のように、請求項１に記載のバリヤキャップ装置において、前記スパウト部に前記ボスピン部を嵌着した状態で前記スパウト部の下端面部と前記ボスピン部の底面部が略同じ高さになるように設けたバリヤキャップ装置を提供するものである。
本発明によれば、スパウト部にボスピン部が嵌着した状態でスパウト部内部全体がバリヤ区間となり、ボスピン部が嵌合することで容器の内容物がスパウト部内部に侵入するスペースを無くし且つ内容物の侵入を防ぐことができる。
【０００６】
また、本発明に係るバリヤキャップ装置によれば、請求項３に記載のように、請求項１又は２に記載のバリヤキャップ装置において、前記スパウト部に前記ボスピン部を嵌着した状態で前記スパウト部の下端面部と前記ボスピン部の底面部にフィルムを接着又は溶着して前記容器を密封するようになしたバリヤキャップ装置を提供するものである。
本発明によれば、開封前にスパウト部とボスピン部の隙間に内容物が侵入しないようにすることができると共に、前記フィルムを開封するまで前記容器の内容物が容器内に密封されているから内容物の保存性を向上させることができる。
【０００７】
また、本発明に係るバリヤキャップ装置によれば、請求項４に記載のように、請求項３に記載のバリヤキャップ装置において、前記キャップの開封に伴って前記ボスピン部によりフィルムを破断又は剥離可能に設けたバリヤキャップ装置を提供するものである。
本発明によれば、前記キャップの開封に伴ってボスピン部によりスパウト部からフィルムが破断又は剥離することで、前記容器の内容物をスパウト部から吐出することができる。
【０００８】
また、本発明に係るバリヤキャップ装置によれば、請求項５に記載のように、請求項１乃至４のいずれかに記載の押込みキャップ装置において、前記スパウト部に前記ボスピン部を嵌着した状態で前記スパウト部の下端面部と前記ボスピン部の底面部に中心部が開口したフィルムを接着又は溶着して前記容器を密封するようになしたバリヤキャップ装置を提供するものである。
本発明によれば、フィルムの中心部が開口しているので、ボスピン部を前記フィルムから円滑に剥離し易くすることができると共に、剥離後には前記容器の内容物をフィルムの開口を通してスパウト部から確実に吐出することができる。
【０００９】
また、本発明に係るバリヤキャップ装置によれば、請求項６に記載のように、請求項１乃至５のいずれかに記載のバリヤキャップ装置において、前記ボスピン部の下端部に前記バリヤ区間の内周壁部に残留した内容物を前記容器内に押し戻すためのピストン部を設けてなるバリヤキャップ装置を提供するものである。
本発明によれば、使用中に容器の内容物がスパウト部に残留していてもキャップの装着に伴いピストン部により内容物をバリヤ区間から残らず確実に容器内方向に押し戻すことができる。
【００１０】
また、本発明に係るバリヤキャップ装置によれば、請求項７に記載のように、請求項１乃至６のいずれかに記載のバリヤキャップ装置において、前記スパウト部の上端にラッパ形状の開口部を設けてなるバリヤキャップ装置を提供するものである。
本発明によれば、スパウト部の上端のラッパ形状の開口部から、前記ボスピン部を円滑にスパウト部に嵌着することができる。
【００１１】
また、本発明に係るバリヤキャップ装置によれば、請求項８に記載のように、請求項１乃至７のいずれかに記載のバリヤキャップ装置において、前記キャップに、該キャップの開封に伴って一部が破断するようになした開封確認リングを設けてなるバリヤキャップ装置を提供するものである。
本発明によれば、キャップの開封に伴って開封確認リングの一部が破断することで、キャップを一度開封したことを確認することができる。
【００１２】
また、本発明に係るバリヤキャップ装置によれば、請求項９に記載のように、請求項１乃至８のいずれかに記載のバリヤキャップ装置において、前記キャップと前記スパウト部をネジ式に着脱するようになしたバリヤキャップ装置を提供するものである。
本発明によれば、前記スパウト部に前記ボスピン部を押込むとき、又は前記スパウト部から前記ボスピン部を引き抜くときに、キャップをネジ式に容易且つ円滑に着脱することができる。
【００１３】
【発明の実施の形態】
以下図示する実施例により、本発明に係るバリヤキャップ装置の実施の形態を説明する。
本発明に係るバリヤキャップ装置は、図に記載の実施例の場合、容器本体１０の内容物を吐出するように設けたスパウト部２０にキャップ３０をネジ式に装着し、該キャップ３０の天板部３７から下方に突出する円柱状のボスピン部３１を前記スパウト部２０のバリヤ区間２０ａに嵌合するように構成してある。２２は、スパウト部２０の外周に設けた雄ネジ部であり、３５は、キャップ３０のスカート部３８内周に設けた雌ネジ部である。
【００１４】
バリヤ区間２０ａは、ガスバリヤ性が少ないスパウト部２０の開口部２１から一定の区間に溜まった内容物がガスバリヤ性がないことによりスパウト部２０内で乾燥し固化したり、酸化して変質したりするのを防止する目的で設定されており、その区間２０ａは、図示の実施例ではスパウト部２０の全長即ち開口部２１から下端面部２５までの長さＤ１に及ぶものであるが、必要に応じて開口部２１からスパウト部２０の中間までの区間に設けてある。
従って、ボスピン部３１の長さは、図示のバリヤ区間２０ａがスパウト部２０の全長に及ぶ場合は、スパウト部２０の全長以上であれば良く、途中までの場合には途中までの長さとなる。
【００１５】
上記実施例の場合、容器本体１０は、アルミニウム、エバールを含む多層樹脂フィルム、ナイロン等からなるガスバリヤ性の高い外装フィルム４を袋状に加工して、その開口部１２に、図２に記載のように、スパウト部２０の下部の結合部２４を差し込んで一体に溶着又は接着したものである。従って、ガスバリヤ性の高い外装フィルム４の開口部１２によって覆われたスパウト部２０の下部の結合部２４は、ガスバリヤ性を維持しているが、その上部はガスバリヤ性が少ないため内容物が固化したり変質したりする恐れがあり、バリヤ区間２０ａを、図２に示すように、開口部２１から結合部２４の上端部までの長さＤ２に設定することも可能である。
【００１６】
また、従来、容器を密封する手段として、スパウト部２０の開口部２１にフィルムを溶着又は接着し密封する手段が用いられているが、本発明装置では、スパウト部２０にボスピン部３１を装着させるため、開口部２１にフィルムを溶着又は接着することができない。そこで、本発明装置では、図４（ａ）、（ｂ）、（ｃ）に示すようにスパウト部２０の下端面部２５とボスピン部３１の底面部３４にアルミニウムフィルム等からなるガスバリヤ性の高いフィルム１、２又は３を溶着又は接着して容器本体１０を確実に密封している。
【００１７】
図２に記載の実施例の場合、スパウト部２０にボスピン部３１を装着した状態でスパウト部２０の下端面部２５とボスピン部３１の底面部３４が略同じ高さになるように設けてあり、ボスピン部３１を装着した状態でスパウト部２０の下端面部２５とボスピン部３１の底面部３４に、平板状のアルミニウムフィルム等からなるガスバリヤ性の高いフィルム１又は２を溶着又は接着し密封することができる。
【００１８】
図４（ａ）に示すように、フィルム１の形状が円板形状の場合には、図５に記載のように、スパウト部２０の下端面部２５とボスピン部３１の底面部３４の全面にフィルム１を溶着又は接着して容器本体１０を密封することができると共に、開封時のボスピン部３１の上昇回転により、フィルム１をボスピン部３１と共にスパウト部２０の下端面部２５から剥離して取り出すか、又は、フィルム１をボスピン３１と共にスパウト部２０の下端面部２５との間で引き千切ることによって、開封することによってができるように構成することができる。後者の場合、図４（ａ）又は図５に記載のように、フィルム１の内周に設けた円形状の切り裂け部１ａを設けることにより一定の形状に容易に破断させて開封することができるように構成することができる。
【００１９】
なお、図４（ａ）の実施例の場合、切り裂け部１ａは、図５に示すように、ボスピン部３１とスパウト部２０の間に設けることも、下端面部２５又は底面部３４上に設けることも可能である。
また、図４（ｂ）に示すように、フィルム２の形状が中心部が開口６を有するドーナツ形状の場合には、図６に記載のように、スパウト部２０の下端面部２５とボスピン部３１の底面部３４の周辺に溶着又は接着して容器本体１０を密封することができる共に、開封時のボスピン部３１の上昇回転により、先の実施例と同様に、フィルム２を引き千切って開封することも可能であるが、フィルム２がボスピン部３１の底面部３４から剥離しスパウト部２０の下端面部２５に残された状態で開口６を開封することができる。
【００２０】
また、上記実施例のスパウト部２０にボスピン部３１を装着した状態でボスピン部３１の底面部３４がスパウト部２０の下端面部２５より突出している場合には、図４（ｃ）に記載のフィルム３の底面部３ａが下になるようにしてボスピン部３１に嵌着し、下端面部２５にフィルム３の鍔上面部３ｂを溶着又は接着し下端面部２５から突出したボスピン部３１にフィルム３を溶着又は接着して容器本体１０を密封することができると共に、フィルム１を用いた実施例と同様に、開封時のボスピン部３１の上昇回転によりフィルム３を引き裂いて容器本体１０を開封状態にすることができる。
【００２１】
また、上記実施例のスパウト部２０にボスピン部３１を装着した状態で、ボスピン部３１の底面部３４がスパウト部２０の下端面部２５より凹陥している場合には、図４（ｃ）に記載のフィルム３の底面部３ｃが上になるようにしてスパウト部２０に嵌着し、下端面部２５にフィルム３の鍔下面部３ｃを溶着又は接着し下端面部２５より凹陥したボスピン部３１の底面部３４にフィルム３の底面部３ａを溶着又は接着して容器本体１０を密封することができると共に、フィルム１を用いた実施例と同様に、開封時のボスピン部３１の上昇回転によりフィルム３を引き千切って容器本体１０を開封状態にすることができる。
【００２２】
なお、上記実施例のフィルム１、２又は３に溶着手段を用いて容器本体１０を密封しているが、接着手段を用いて密封することも可能である。
また、実施例の場合、図１又は図３に記載のように、ボスピン部３１の下端部３２には、バリヤ区間２０ａの内周壁部２７に残留した内容物を容器本体１０内に押し戻すためのリング状のピストン鍔部３３が設けてあり、ピストン鍔部３３より上方のボスピン部３１を細く構成することが可能である。なお、図示の実施例の場合、ボスピン部３１は中空状に構成してある。
また、スパウト部２０の上端には、ボスピン部３１を円滑に挿入するためにラッパ形状の開口部２１を設けてある。
【００２３】
また、実施例の場合、キャップ３０のスカート部３８の下端には、キャップ３０の開封に伴って一部破断するようになした開封確認リング３６を周状に設けてあり、キャップ３０の開封時に該開封確認リング３６がスパウト部２０に設けた係止部２３に回転を阻止されて一部が破断するように構成してあり、キャップ３０の開封又は未開封を一目でわかるようにしてある。
【００２４】
【発明の効果】
以上の通り、本発明に係るバリヤキャップ装置によれば、請求項１に記載のように、容器本体を押す若しくは吸引して容器の内容物を吐出するように設けたスパウト部に装着するキャップに、該キャップの天板部から下方に突出して前記スパウト部のバリヤ区間に嵌合し該バリヤ区間への内容物の侵入を阻止する円柱状のボスピン部を設けてなる構成を有することにより、キャップを装着すると、前記容器の内容物が前記スパウト部の前記バリヤ区間に侵入することがないから、使用前及び使用中において、スパウト部にガスバリヤ性がなくても内容物が固化したり変質することを生じ難くする効果がある。
【００２５】
また、本発明は、請求項２に記載のように、請求項１に記載のバリヤキャップ装置において、前記スパウト部に前記ボスピン部を嵌着した状態で前記スパウト部の下端面部と前記ボスピン部の底面部が略同じ高さになるように設けた構成を有することにより、スパウト部にボスピン部が嵌着した状態でスパウト部全体がバリヤ区間となり、ボスピン部が嵌合することで容器の内容物がスパウト部に侵入するスペースを無くし且つ内容物の侵入を防ぐことができる効果がある。
【００２６】
また、本発明は、請求項３に記載のように、請求項１又は２に記載のバリヤキャップ装置において、前記スパウト部に前記ボスピン部を嵌着した状態で前記スパウト部の下端面部と前記ボスピン部の底面部にフィルムを接着又は溶着して前記容器を密封するようになした構成を有することにより、開封前にスパウト部とボスピン部の隙間に内容物が侵入しないようにすることができると共に、前記フィルムを開封するまで前記容器の内容物が容器内に密封されているから内容物の保存性を向上させることができる効果がある。
【００２７】
また、本発明は、請求項４に記載のように、請求項３に記載のバリヤキャップ装置において、前記キャップの開封に伴ってボスピン部により前記フィルムを破断又は剥離可能に設けた構成を有することにより、前記キャップの開封に伴ってボスピン部によりスパウト部に設けたフィルムが破断又は剥離することで、前記容器の内容物をスパウト部から吐出することができる。
【００２８】
また、本発明は、請求項５に記載のように、請求項１乃至４のいずれかに記載の押込みキャップ装置において、前記スパウト部に前記ボスピン部を嵌着した状態で前記スパウト部の下端面部と前記ボスピン部の底面部に中心部が開口したフィルムを接着又は溶着して前記容器を密封するようになした構成を有することにより、フィルムの中心部が開口しているので、ボスピン部を前記フィルムから円滑に剥離し易くすることができると共に、剥離後には前記容器の内容物をフィルムの開口を通してスパウト部から確実に吐出することができる効果がある。
【００２９】
また、本発明は、請求項６に記載のように、請求項１乃至５のいずれかに記載のバリヤキャップ装置において、前記ボスピン部の下端部に前記バリヤ区間の内周壁部に残留した内容物を前記容器内に押し戻すためのピストン部を設けてなる構成を有することにより、使用中に容器の内容物がスパウト部に残留していてもキャップの装着に伴いピストン部により内容物をバリヤ区間から残らず確実に容器内方向に押し戻すことができる効果がある。
【００３０】
また、本発明は、請求項７に記載のように、請求項１乃至６のいずれかに記載のバリヤキャップ装置において、前記スパウト部の上端にラッパ形状の開口部を設けてなる構成を有することにより、スパウト部の上端にラッパ形状の開口部を設けたことで、前記ボスピン部を円滑にスパウト部に嵌着することができる効果がある。
【００３１】
また、本発明は、請求項８に記載のように、請求項１乃至７のいずれかに記載のバリヤキャップ装置において、前記キャップの下端に前記キャップの開封に伴って一部破断するようになした開封確認リングを設けてなる構成を有することにより、キャップの開封に伴って開封確認リングの一部が破断することで、キャップを開封したか否かを一見して確認することができる効果がある。
【００３２】
また、本発明は、請求項９に記載のように、請求項１乃至８のいずれかに記載のバリヤキャップ装置において、前記キャップと前記スパウト部をネジ式に着脱するようになした構成を有することにより、前記スパウト部に前記ボスピン部を押込むとき、又は前記スパウト部から前記ボスピン部を引き抜くときに、キャップをネジ式に容易且つ円滑に着脱することができる効果がある。
【図面の簡単な説明】
【図１】本発明装置の一実施例を示す概略分解正面図。
【図２】その要部を一部省略して示す概略一部縦断正面図。
【図３】その一実施例の要部を分解して示す概略分解説明図。
【図４】その一実施例の要部の形態を概略斜視図。
【図５】その一実施例の要部を拡大して示す概略拡大説明図。
【図６】その他の実施例の要部を拡大して示す概略拡大説明図。
【符号の説明】
１　　　フィルム
１ａ　　切り裂け部
２　　　フィルム
３　　　フィルム
３ａ　　底面部
３ｂ　　鍔上面部
３ｃ　　鍔下面部
４　　　外装フィルム
６　　　中心部
１０　　容器本体
１２　　開口部
２０　　スパウト部
２０ａ　バリヤ区間
２１　　開口部
２２　　雄ネジ部
２３　　開封確認リング破断部
２４　　結合部
２５　　下端面部
２６　　内周壁部
３０　　キャップ
３１　　ボスピン部
３２　　下端部
３３　　ピストン部
３４　　底面部
３５　　雌ネジ部
３６　　開封確認リング
３７　　天板部
３８　　スカート部
【図１】
2004090964.tif 000003
【図２】
2004090964.tif 000004
【図３】
2004090964.tif 000005
【図４】
2004090964.tif 000006
【図５】
2004090964.tif 000007
【図６】
2004090964.tif 000008